(57)【要約】【課題】使用頻度の高い機能を指定する際の使用者の操作を簡略化することを可能とする。【解決手段】主制御部９は複数の階層からなるメニューに応じた使用者によるメニュー操作に基づいて使用者による機能の指定を受け付ける。主制御部９は各階層毎に項目の選択の頻度を管理しておき、その頻度に基づいて各項目の優先順位を階層毎に決定する。そして主制御部９はメニュー操作に基づく使用者による機能の指定を受け付ける際に、上記の優先順位が高い項目ほど少ない使用者操作に基づいて選択するように階層毎に変更したメニューを使用する。【選択図】　　図１
2004102609.tif 000002
【特許請求の範囲】
【請求項１】
機能の選択のための複数の項目を階層的に分類して構成されたメニューに従う使用者操作に基づいて使用者が指定する機能を判定する判定手段と、
前記メニューの階層毎に、含まれる項目の過去の選択状況に基づいて前記項目の優先順位を決定する決定手段と、
この決定手段により決定された優先順位が高い項目ほど少ない使用者操作に基づいて前記判定手段が選択するように前記メニューを前記階層毎に変更するメニュー変更手段とを具備したことを特徴とする移動通信端末。
【請求項２】
機能の選択のための複数の項目を階層的に分類して構成されたメニューに従う使用者操作に基づいて使用者が指定する機能を判定する判定手段と、
前記メニューの最下層の階層に含まれる項目の過去の選択状況に基づいてそれらの項目の優先順位を決定する決定手段と、
この決定手段により決定された優先順位が高い項目ほど少ない使用者操作に基づいて前記判定手段が選択するように前記メニューを変更するメニュー変更手段とを具備したことを特徴とする移動通信端末。
【請求項３】
前記決定手段は、予め定められた時間帯毎での過去の選択状況に基づいて前記時間帯毎に優先順位を決定することとし、
かつ前記メニュー変更手段は、現在の時間帯に対して前記決定手段により決定された優先順位に従って前記メニューを変更することを特徴とする請求項１または請求項２に記載の移動通信端末。
【請求項４】
前記決定手段は、予め定められた地域毎での過去の選択状況に基づいて前記地域毎の優先順位を決定することとし、
かつ前記メニュー変更手段は、現在位置している地域に対して前記決定手段により決定された優先順位に従って前記メニューを変更することを特徴とする請求項１または請求項２に記載の移動通信端末。
【請求項５】
機能の選択のための複数の項目を階層的に分類して構成されたメニューに従う使用者操作に基づいて使用者が指定する機能を判定する判定手段と、
予め定められた時間帯毎での前記項目の過去の選択状況を含む所定の条件に基づいてそれらの項目の優先順位を決定する決定手段と、
現在の時間帯に対して前記決定手段により決定された優先順位が高い項目ほど少ない使用者操作に基づいて前記判定手段が選択するように前記メニューを変更するメニュー変更手段とを具備したことを特徴とする移動通信端末。
【請求項６】
機能の選択のための複数の項目を階層的に分類して構成されたメニューに従う使用者操作に基づいて使用者が指定する機能を判定する判定手段と、
予め定められた地域毎での前記項目の過去の選択状況を含む所定の条件に基づいてそれらの項目の優先順位を決定する決定手段と、
現在位置している地域に対して前記決定手段により決定された優先順位が高い項目ほど少ない使用者操作に基づいて前記判定手段が選択するように前記メニューを変更するメニュー変更手段とを具備したことを特徴とする移動通信端末。
【請求項７】
前記決定手段は、選択される頻度が高い項目ほど高い優先順位を決定することを特徴とする請求項１乃至請求項６のいずれかに記載の移動通信端末。
【請求項８】
前記優先順位を使用者指示に応じて変更する優先順位変更手段を備えたことを特徴とする請求項１乃至請求項６のいずれかに記載の移動通信端末。
【発明の詳細な説明】
【０００１】
【発明の属する技術分野】
本発明は、複数の項目を階層的に分類して構成されたメニューに従う使用者操作に基づいて使用者が指定する機能を判定し、その機能を実行する移動通信端末に関する。
【０００２】
【従来の技術】
移動通信端末は小型化・軽量化が要求されるため、表示器の表示領域の大きさやキーの数が制限される。
【０００３】
そこで、このような条件下において各種の機能の選択を使用者がより容易な操作により行うことを可能とするために移動通信端末では、各機能を分類して階層的なメニューを構成し、このメニューに従った使用者操作に基づいて指定される機能の判定を行うようにしている。
【０００４】
例えば、「音設定」→「着信設定」→「メール着信設定」→「着信音量設定」なる順序で各階層のメニューから項目が使用者により選択されたことをもって、移動通信端末は着信音量を設定する機能が指定されたことを判定する。各階層のメニューにはそれぞれ複数の項目が含まれていて、使用者はそれらの複数の項目の中から所望の項目を選択する。
【０００５】
【特許文献１】
特開２０００−２６１５４４号公報
【０００６】
【発明が解決しようとする課題】
しかし、前記の通り移動通信端末の表示領域やキーの数は制限されていることから、１つの階層に含めることができる項目数も限られてしまう。その一方で近年は、移動通信端末の高機能化に伴って指定され得る機能が増大しており、メニューの階層数が増大する傾向にある。
【０００７】
このようなことから、上述のような形態で使用者が指定する機能の判定を行うようにしていても、使用者の操作は煩雑であるという不具合があった。
【０００８】
ところで、必ずしも使用者が移動通信端末に用意された全ての機能を平均的に使用するとは限らない。通常は、各機能の使用頻度に大きな差がある。すなわち、使用頻度の高い機能を指定するためには、その都度煩雑な操作を繰り返し行わなければならない。このような繰り返しの操作は非常に煩わしいものであり、使用者の利便性を損なっていた。
【０００９】
本発明はこのような事情を考慮してなされたものであり、その目的とするところは、使用頻度の高い機能を指定する際の使用者の操作を簡略化することが可能な移動通信端末を提供することにある。
【００１０】
【課題を解決するための手段】
以上の目的を達成するために本発明は第１に、機能の選択のための複数の項目を階層的に分類して構成されたメニューの階層毎に、含まれる項目の過去の選択状況に基づいて前記項目の優先順位を決定手段により決定し、この決定された優先順位が高い項目ほど少ない使用者操作に基づいて判定手段が選択するようにメニュー変更手段が前記メニューを前記階層毎に変更することとした。
【００１１】
このような手段を講じたことにより、メニューの各階層において、そこに含まれる項目の過去の選択状況に基づいてそれらの項目の優先順位が決定され、この優先順位が高い項目ほど少ない使用者操作に基づいて選択されるようにメニューが階層毎に変更される。従って、優先順位が高く設定されるような状況で過去に選択されている項目に関しては、使用者は少ない操作で選択することが可能となる。
【００１２】
また前述の目的を達成するために本発明は第２に、機能の選択のための複数の項目を階層的に分類して構成されたメニューの最下層の階層に含まれる項目の過去の選択状況に基づいてそれらの項目の優先順位を決定手段により決定し、この決定された優先順位が高い項目ほど少ない使用者操作に基づいて判定手段が選択するようにメニュー変更手段が前記メニューを変更することとした。
【００１３】
このような手段を講じたことにより、メニューの最下層の階層に含まれる項目の過去の選択状況に基づいてそれらの項目の優先順位が決定され、この優先順位が高い項目ほど少ない使用者操作に基づいて選択されるようにメニューが階層毎に変更される。従って、優先順位が高く設定されるような状況で過去に選択されている項目に関しては、使用者は少ない操作で選択することが可能となる。
【００１４】
【発明の実施の形態】
以下、図面を参照しながら本発明の実施形態について説明する。
【００１５】
図１は本発明の実施形態に係る移動通信端末のブロック図である。
【００１６】
この図に示すように本発明の実施形態の移動通信端末は、アンテナ１、無線部２、ＣＤＭＡ処理部３、圧縮伸長部４、ＰＣＭ処理部５、通話部６、ユーザインタフェース部７、記憶部８および主制御部９を有している。無線部２は、デュプレクサ（ＤＵＰ）２ａ、受信回路（ＲＸ）２ｂ、周波数シンセサイザ（ＳＹＮ）２ｃおよび送信回路（ＴＸ）２ｄを有する。通話部６は、レシーバアンプ６ａ、スピーカ６ｂ、マイクロホン６ｃおよび送話アンプ６ｄを有する。ユーザインタフェース部７は、表示部７ａおよび入力部７ｂを有する。
【００１７】
図示しない基地局から送信された無線信号は、アンテナ１で受信されたのち無線部２に入力される。無線部２では、上記無線信号はデュプレクサ２ａを介して受信回路２ｂに入力される。無線信号は、周波数シンセサイザ２ｃから出力された受信局部発振信号と受信回路２ｂにおいてミキシングされることで中間周波信号に周波数変換される。なお、上記周波数シンセサイザ２ｃから発生される受信局部発振信号の周波数は、主制御部９から出力される制御信号によって設定される。
【００１８】
上記中間周波信号は、ＣＤＭＡ処理部３に入力される。ＣＤＭＡ処理部３は、受信チャネルに割り当てられた拡散符号により上記中間周波信号を逆拡散処理する。続いてＣＤＭＡ処理部３は、例えばＱＰＳＫ（Ｑｕａｄｒａｔｕｒｅ　Ｐｈａｓｅ　Ｓｈｉｆｔ　Ｋｅｙｉｎｇ）変調方式に対応する直交復調を行い、これによりデータレートに応じた所定のフォーマットの復調データまたはパケットデータに変換する。そしてＣＤＭＡ処理部３は、この変換された復調データを圧縮伸長部４に与え、パケットデータは主制御部９に与える。
【００１９】
圧縮伸長部４は、上記ＣＤＭＡ処理部３から出力された復調データに対し、主制御部９から通知される受信データレートに応じた伸長処理を施す。さらに圧縮伸長部４は、ビタビ復号などを用いた復号処理および誤り訂正復号処理を行って、ベースバンドの音声データを再生する。なお、上記の伸長処理はＱＣＥＬＰ方式またはＥＶＲＣ方式に準じた処理である。圧縮伸長部４は、音声データをＰＣＭ処理部５に与える。
【００２０】
ＰＣＭ処理部５は、圧縮伸長部４から出力されたディジタルの音声データをＰＣＭ復号してアナログの音声信号を得る。この音声信号は、レシーバアンプ６ａで増幅されたのち、スピーカ６ｂより音声として出力される。
【００２１】
話者が発した音声は、マイクロホン６ｃにより音声信号に変換される。この音声信号は、送話アンプ６ｄに入力される。音声信号は、送話アンプ６ｄにより適正レベルまで増幅されたのち、ＰＣＭ処理部５へと与えられる。
【００２２】
ＰＣＭ処理部５は、上記音声信号に対してＰＣＭ符号化処理を施し、ディジタルの音声データを得る。ＰＣＭ処理部５は、この音声データを圧縮伸長部４に与える。
【００２３】
圧縮伸長部４は、音声データのエネルギー量を検出し、この検出結果に基づいてデータレートを決定する。そして圧縮伸長部４は、上記音声データを上記データレートに応じたフォーマットの信号にＱＣＥＬＰ方式により圧縮する。さらに圧縮伸長部４は、音声データに対して例えば畳み込み符号化による誤り訂正符号化処理を施したのちＣＤＭＡ処理部３へ出力する。
【００２４】
ＣＤＭＡ処理部３は、圧縮伸長部４から個々に与えられる各種伝送チャネルの送信データを多重化する。さらにＣＤＭＡ処理部３は、多重化後の送信データにより搬送波信号を変調する。この変調には、例えばＱＰＳＫが用いられる。ＣＤＭＡ処理部３は、変調された搬送波信号に対して、送信チャネルごとに割り当てられたＰＮ符号を用いてスペクトラム拡散処理を施して送信信号を得る。そしてＣＤＭＡ処理部３は、上記送信信号を無線部２の送信回路２ｄへと与える。
【００２５】
送信回路２ｄは、上記送信信号を、周波数シンセサイザ２ｃから発生される送信局部発振信号と合成することで無線周波信号に変換する。そして、送信回路２ｄは、主制御部９により通知される送信データレートに基づいて、上記無線周波信号の有効部分だけを高周波増幅した上で出力する。この送信回路２ｄから出力された無線周波信号は、デュプレクサ２ａを介してアンテナ１に供給され、このアンテナ１から接続中の基地局へ向けて送信される。
【００２６】
入力部７ｂには、各種のキーを含むキー群が設けられている。入力部７ｂは、これらのキーの押下による使用者指示を入力する。また表示部７ａには、ＬＣＤ（ｌｉｑｕｉｄ　ｃｒｙｓｔａｌ　ｄｉｓｐｌａｙ）およびＬＥＤ（ｌｉｇｈｔ　ｅｍｉｔｔｉｎｇ　ｄｉｏｄｅ）等が設けられている。表示部７ａは、これらＬＣＤおよびＬＥＤを用いて、通信相手の端末の電話番号および例えば着信状態などのような自端末の動作状態をはじめ、ＷＥＢサイトからのダウンロード情報、送受信メール、動画像、図示しないバッテリのＤｉｓｃｈａｒｇｅ状態等を表示する。
【００２７】
記憶部８は、例えばＲＯＭ、ＤＲＡＭ（ｄｙｎａｍｉｃ　ＲＡＭ）、ＳＲＡＭ（ｓｔａｔｉｃ　ＲＡＭ）、あるいはフラッシュメモリなどを適宜用いてなる。この記憶部８は、主制御部９用の動作プログラムを記憶する。また記憶部８は、各種の設定情報や各種の受信データ、あるいは本装置で作成された各種のデータなど、さまざまなデータを記憶する。また記憶部８は、メニュー操作における項目選択の履歴情報を記憶する。
【００２８】
主制御部９は、記憶部８に記憶されている動作プログラムに基づくソフトウェア処理により各部の制御処理を行うことで、移動通信端末としての動作を実現する。また主制御部９は、機能判定部９ａ、優先順位決定部９ｂ、メニュー変更部９ｃおよび優先順位変更部９ｄとして動作する。
【００２９】
ここで機能判定部９ａは、使用者によるメニュー操作に基づいて使用者が指定する機能を判定する。優先順位決定部９ｂは、機能判定部９ａが使用者によるメニュー操作を受け付けた際に、そのメニュー操作での項目選択の頻度情報を作成して記憶部８に記憶させておくとともに、この頻度情報に基づいて項目選択メニューに含まれる各項目の優先順位を決定する。メニュー変更部９ｃは、優先順位決定部９ｂにより決定された優先順位を考慮して項目選択メニューの構成を変更する。そして優先順位変更部９ｄは、上記の優先順位を使用者からの指示に応じて変更する。
【００３０】
（第１の実施形態）
次に以上のように構成された移動通信端末の第１実施形態における動作につき説明する。なお、音声通話機能などのような移動通信端末における一般的な機能を実現するための処理は従来と同様であるのでその説明は省略する。ここでは、使用者により指定される機能の判定に関する動作につき詳しく説明する。
【００３１】
まず、この移動通信端末が有する機能の使用者による指定を受け付ける場合、主制御部９は例えば図２に示すようなメニュー画面を表示部７ａに表示させ、このメニュー画面に示される項目の選択を受け付けて行く。項目の選択の受け付けは、カーソルＣの移動指示に応じて候補項目を変更するとともに、決定指示がなされた際の候補項目を選択された項目として判定することで行う。あるいは、各項目に対応付けたキーが押下された場合に、そのキーに対応する項目を選択された項目として判定することで行う。具体的には、図２における「音設定」の項目は、カーソルの下方移動の指示が３回なされた上で決定指示がなされたことに応じて、あるいはテンキーのうちの「３」のキーが押下されたことに応じて選択が受け付けられる。なお、項目選択メニューは階層的に構成されていて、主制御部９は選択された項目に応じて順次下位の階層へと移行して行く。そして主制御部９は、最下層の階層にて選択される項目に応じた機能を指定された機能として判定する。以上の主制御部９での処理が、機能判定部９ａとしての機能によりなされる処理に相当する。
【００３２】
さて、１階層の項目選択メニューからの項目の選択がなされる毎に主制御部９は、図３に示すような使用頻度情報記憶処理を実行する。なおこの図３に示す処理が、優先順位決定部９ｂとしての機能によりなされる処理に相当する。
【００３３】
主制御部９はステップＳＴ１において、現在の時刻を取得する。そして主制御部９はステップＳＴ２において、上記取得した時刻が属する時刻グループを今回頻度情報を更新する時刻グループ（以下、更新対象時刻グループと称する）として決定する。なお時刻グループは、例えば１時間単位などで予め定められている。
【００３４】
続いて主制御部９はステップＳＴ３において、現在在圏している基地局の基地局ＩＤ（以下、在圏基地局ＩＤと称する）を取得する。そして主制御部９はステップＳＴ４において、上記取得した在圏基地局ＩＤに対応するメニューリスト（以下、更新対象メニューリストと称する）が更新対象時刻グループに対応付けて既に作成されているか否かを確認する。もし、該当する更新対象メニューリストがまだ作成されていないことを確認したならば、主制御部９はステップＳＴ５において、更新対象時刻グループに対応付けて在圏基地局ＩＤに対応するメニューリストを新規作成し、これを今回の更新対象メニューリストとする。
【００３５】
一方、該当する更新対象メニューリストが作成済みであることをステップＳＴ４にて確認したならば、主制御部９はステップＳＴ６において、その更新対象メニューリストに今回項目の選択がなされた項目選択メニューのメニューＩＤ（以下、選択メニューＩＤと称する）が含まれているか否かを確認する。なおメニューＩＤは、階層的に構成された複数の項目選択メニューのそれぞれを一意に識別可能に予め定められている。
【００３６】
ここで選択メニューＩＤが含まれていないことを確認した場合、ならびにステップＳＴ５にてメニューリストを新規作成した場合、主制御部９は続いてステップＳＴ７において、更新対象メニューリストに選択メニューＩＤを登録するとともに、その選択メニューＩＤに対応付けて項目頻度テーブルを新規作成する。項目頻度テーブルは、項目選択メニューに含まれる各項目とその使用頻度を示す頻度情報とを対応付けて記憶するものである。
【００３７】
選択メニューＩＤが含まれていることをステップＳＴ６にて確認した場合、ならびにステップＳＴ７にて項目頻度テーブルを作成し終えた場合、主制御部９は続いてステップＳＴ８において、選択メニューＩＤに対応する項目頻度テーブルで今回選択された項目の頻度情報を更新する。そして主制御部９はこれをもって使用頻度情報記憶処理を終了する。
【００３８】
ところで、何らかのイベントが発生するのを待受けている状態から機能選択の開始を指示するキー（例えばファンクションキー）が押下された場合には最上層の階層のメニュー画面を、また最下層以外の階層の項目選択メニューにおいて項目の選択がなされた場合にはそれよりも１つ下位の階層のメニュー画面をそれぞれ表示する必要が生じる。そしてこのことに応じて主制御部９は図４に示すような項目選択メニュー表示処理を実行する。なおこの図４に示す処理が、優先順位決定部９ｂおよびメニュー変更部９ｃとしての機能によりなされる処理に相当する。
【００３９】
主制御部９はステップＳＴ１１において、現在の時刻を取得する。そして主制御部９はステップＳＴ１２において、上記取得した時刻が属する時刻グループを判定し、その時刻グループを今回メニューリストを参照するべき時刻グループ（以下、参照対象時刻グループと称する）として決定する。
【００４０】
次に主制御部９はステップＳＴ１３において、在圏基地局ＩＤを取得する。そして主制御部９はステップＳＴ１４およびステップＳＴ１５において、上記参照対象時刻グループに上記の在圏基地局ＩＤ用のメニューリスト（以下、参照対象メニューリストと称する）が含まれており、かつその参照対象メニューリストに今回表示するべきメニュー（以下、参照対象メニューと称する）のメニューＩＤが含まれているか否かを確認する。もし、この条件が成立することを確認したならば、主制御部９はステップＳＴ１６において、参照対象メニューの各項目について、参照対象メニューリストの参照対象メニューに対応した項目頻度テーブルの頻度情報から、使用頻度が高い項目ほど優先順位が高くなるように優先順位を決定する。すなわち、参照対象メニューに関して同一の地域にて過去に項目の選択が行われていて、その項目選択に関する頻度情報が項目頻度テーブルに記憶されているのならば、その情報に基づいて過去の使用頻度に応じて優先順位を決定するのである。
【００４１】
これに対して、ステップＳＴ１４およびステップＳＴ１５のいずれかで上記の条件が成立しないことを確認した場合、主制御部９はステップＳＴ１７において、参照対象メニューの各項目について、参照対象時刻グループの他のメニューリストに登録されている参照対象メニューの項目頻度テーブルの全ての頻度情報を平均化して、使用頻度が高い項目ほど優先順位が高くなるように優先順位を決定する。すなわち、参照対象メニューに関して同一の地域にて過去に項目の選択が行われていないのならば、参照対象メニューに関して他の地域にて過去になされた項目選択に関する頻度情報に基づいて過去の使用頻度に応じて優先順位を決定するのである。なお、複数の地域で選択された項目は使用頻度がそれぞれ異なるので、それらを地域毎の使用頻度を平均化することで項目毎の使用頻度を求めるのである。
【００４２】
ステップＳＴ１６またはステップＳＴ１７で優先順位を決定し終えたならば、続いて主制御部９はステップＳＴ１８において、上記の優先順位が高い項目ほど少ない操作で選択できるように項目を並べ替えた項目選択メニューを作成し、その項目選択メニューを表示部７ａに表示させる。そしてこれをもって主制御部９は項目選択メニュー表示処理を終了する。
【００４３】
かくして、時間帯および地域毎でメニューの各階層の項目の使用頻度が学習され、使用頻度の高い項目ほど少ない操作で選択できるように項目を並べ替えた項目選択メニューが表示される。
【００４４】
以下に、この第１実施形態の移動通信端末にて表示される項目選択メニューの具体例を説明する。ここでは、使用者が、朝に職場に出社した際にメール着信音の音量を「２」に設定し、また夜に退社する際にメール着信音の音量を「４」に設定する操作を頻繁に行う場合を例示する。この場合、出社時間帯において職場がある地域にてメール着信音量を「４」に設定するためのメニュー操作と、退社時間帯において職場がある地域にてメール着信音量を「２」に設定するためのメニュー操作とが頻繁に行われることとなるため、そのメニュー操作に伴って選択される項目に関する使用頻度が高いことがそれぞれ学習される。
【００４５】
そしてこの結果、出社時間帯であってかつ職場がある地域においては、図５に示すように、表示部７ａに待ち受け画面１１を表示させている状態からファンクションキー（Ｆキー）が１回押下されると、主制御部９は表示部７ａに最上位メニュー１２を表示させる。この最上位メニュー１２には、デフォルト状態にて４番目の項目として「音設定」なる項目が含まれるが、主制御部９はこの項目が当該時間帯および地域にて最も頻繁に選択されていることから、この項目を１番目に示すように変更している。「音設定」の項目の選択キーとしてテンキーのうちの「３」のキーが割り付けられているが、主制御部９はこれについては変更しない。
【００４６】
メール着信音量の設定機能を使用するためには、使用者が「音設定」の項目を最上位メニュー１２から選択することとなる。このために使用者は、テンキーのうちの「３」のキーを押下するか、あるいは「音設定」の項目にカーソルＣを合わせてファンクションキーを押下する。そうすると主制御部９は、表示部７ａに音設定メニュー１３を表示させる。この音設定メニュー１３には、デフォルト状態にて１番目の項目として「着信設定」なる項目が含まれるが、主制御部９はこの項目が当該時間帯および地域にて最も頻繁に選択されていることから、この項目をそのまま１番目に示すようにしている。「着信設定」の項目の選択キーとしてテンキーのうちの「０」のキーが割り付けられている。
【００４７】
メール着信音量の設定機能を使用するためには、使用者が「着信設定」の項目を音設定メニュー１３から選択することとなる。このために使用者は、テンキーのうちの「０」のキーを押下するか、あるいは「着信設定」の項目にカーソルＣを合わせてファンクションキーを押下する。そうすると主制御部９は、表示部７ａに着信設定メニュー１４を表示させる。この着信設定メニュー１４には、デフォルト状態にて５番目の項目として「メール着信設定」なる項目が含まれるが、主制御部９はこの項目が当該時間帯および地域にて最も頻繁に選択されていることから、この項目を１番目に示すように変更している。「メール着信設定」の項目の選択キーとしてテンキーのうちの「４」のキーが割り付けられている。
【００４８】
メール着信音量の設定機能を使用するためには、使用者が「メール着信設定」の項目を着信設定メニュー１４から選択することとなる。このために使用者は、テンキーのうちの「４」のキーを押下するか、あるいは「メール着信設定」の項目にカーソルＣを合わせてファンクションキーを押下する。そうすると主制御部９は、表示部７ａにメール着信設定メニュー１５を表示させる。このメール着信設定メニュー１５には、デフォルト状態にて３番目の項目として「着信音量設定」なる項目が含まれるが、主制御部９はこの項目が当該時間帯および地域にて最も頻繁に選択されていることから、この項目を１番目に示すように変更している。「着信音量設定」の項目の選択キーとしてテンキーのうちの「２」のキーが割り付けられている。
【００４９】
メール着信音量の設定機能を使用するためには、使用者が「着信音量設定」の項目をメール着信設定メニュー１５から選択することとなる。このために使用者は、テンキーのうちの「２」のキーを押下するか、あるいは「着信音量設定」の項目にカーソルＣを合わせてファンクションキーを押下する。そうすると主制御部９は、メール着信音量の設定機能を起動し、表示部７ａに音量設定画面１６を表示させる。この音量設定画面１６は、デフォルト状態では現在設定されている音量を示す状態とされるのであるが、主制御部９は「音量２」が当該時間帯および地域においては最も頻繁に指定されていることから、「音量２」を指定する内容に音量設定画面１６を変更している。
【００５０】
使用者はメール着信音の音量を「２」に設定しようとしているのだから、音量設定画面１６を確認したならば、決定を指示するためにファンクションキーを押下することとなる。そうすると主制御部９は、メール着信音量の設定機能によりメール着信音の音量を「２」に設定する。この上で主制御部９は、表示部７ａの表示をメール着信設定メニュー１７に戻す。ただしメール着信設定メニュー１７では、各項目はデフォルトの順番としている。さらに、メール着信設定メニュー１７を表示させている状態から終了キーが押下されたことに応じて、主制御部９は表示部７ａの表示を待ち受け画面１１に戻す。
【００５１】
一方、退社時間帯であってかつ職場がある地域においては、図６に示すように、表示部７ａに待ち受け画面２１を表示させている状態からファンクションキーが１回押下されると、主制御部９は表示部７ａに最上位メニュー２２を表示させる。この最上位メニュー２２には、デフォルト状態にて４番目の項目として「音設定」なる項目が含まれるが、主制御部９はこの項目が当該時間帯および地域にて最も頻繁に選択されていることから、この項目を１番目に示すように変更している。
【００５２】
メール着信音量の設定機能を使用するために使用者が「音設定」の項目を最上位メニュー２２から選択したならば、これに応じて主制御部９は、表示部７ａに音設定メニュー２３を表示させる。この音設定メニュー２３には、デフォルト状態にて１番目の項目として「着信設定」なる項目が含まれるが、主制御部９はこの項目が当該時間帯および地域にて最も頻繁に選択されていることから、この項目をそのまま１番目に示すようにしている。
【００５３】
メール着信音量の設定機能を使用するために使用者が「着信設定」の項目を音設定メニュー２３から選択したならば、これに応じて主制御部９は、表示部７ａに着信設定メニュー２４を表示させる。この着信設定メニュー２４には、デフォルト状態にて５番目の項目として「メール着信設定」なる項目が含まれるが、主制御部９はこの項目が当該時間帯および地域にて最も頻繁に選択されていることから、この項目を１番目に示すように変更している。
【００５４】
メール着信音量の設定機能を使用するために使用者が「メール着信設定」の項目を着信設定メニュー２４から選択したならば、これに応じて主制御部９は、表示部７ａにメール着信設定メニュー２５を表示させる。このメール着信設定メニュー２５には、デフォルト状態にて３番目の項目として「着信音量設定」なる項目が含まれるが、主制御部９はこの項目が当該時間帯および地域にて最も頻繁に選択されていることから、この項目を１番目に示すように変更している。
【００５５】
メール着信音量の設定機能を使用するために使用者が「着信音量設定」の項目をメール着信設定メニュー２５から選択したならば、これに応じて主制御部９は、メール着信音量の設定機能を起動し、表示部７ａに音量設定画面２６を表示させる。この音量設定画面２６は、デフォルト状態では現在設定されている音量を示す状態とされるのであるが、主制御部９は「音量４」が当該時間帯および地域においては最も頻繁に指定されていることから、「音量４」を指定する内容に音量設定画面２６を変更している。
【００５６】
使用者はメール着信音の音量を「４」に設定しようとしているのだから、音量設定画面２６を確認したならば、決定を指示するためにファンクションキーを押下することとなる。そうすると主制御部９は、メール着信音量の設定機能によりメール着信音の音量を「４」に設定する。この上で主制御部９は、表示部７ａの表示をメール着信設定メニュー２７に戻す。ただしメール着信設定メニュー２７では、各項目はデフォルトの順番としている。さらに、メール着信設定メニュー２７を表示させている状態から終了キーが押下されたことに応じて、主制御部９は表示部７ａの表示を待ち受け画面２１に戻す。
【００５７】
さて、主制御部９は上述のように各項目選択メニューを表示する際、１番目の項目を候補項目とし、この候補項目に合わせてカーソルＣを表示させる。そして主制御部９は、このカーソルＣの移動指示に応じて候補項目を変更し、ファンクションキーが押下された際の候補項目を選択項目とする。このため、上述のように各階層のメニュー画面にて１番目に表示される項目は、そのメニュー画面の表示開始当初から候補項目とされるのであって、その項目の選択のために使用者はファンクションキーの押下のみ行えば良い。従って、最も頻繁に行うメニュー操作を繰り返し行うのであれば、使用者は各階層のメニュー画面毎にファンクションキーを押下するのみで良い。
【００５８】
また、各階層のメニュー画面にて１番目に表示されている項目とは異なる項目を選択する場合でも、各メニュー画面の項目は使用頻度に応じた優先順位で並べられるので、使用者は使用頻度の高い項目ほど少ないカーソルＣの移動指示で候補項目に指定することが可能である。従って、使用頻度の高い項目ほど少ない操作で選択することが可能なのである。
【００５９】
しかもこの第１実施形態では、時間帯および地域毎でそれぞれ個別に各項目の使用頻度を集計し、その時間帯および地域毎での使用頻度に基づいて優先順位を決定するから、上述の具体例のような日常的な繰り返しの操作を非常に効率良く行うことを可能とするように適正にメニュー画面を変更することが可能である。
【００６０】
なお、使用者により優先順位の変更が要求された場合、主制御部９は使用者からの指示に応じて記憶部８に記憶されている頻度情報を変更する。例えば、使用者が特定の項目についての頻度情報のクリアを指示したならば、主制御部９は該当する頻度情報を過去に選択がなされていないことを示す内容に更新する。このようにすることで、後のメニュー画面の表示の際に決定される優先順位が使用者の意志に応じて変更されることとなる。これにより、変更されたメニュー画面が使用者にとって操作し辛いものとなってしまった場合などに、使用者がメニュー画面の修正を図ることが可能となって、利便性が向上する。
【００６１】
（第２の実施形態）
続いて、本発明の実施形態の移動通信端末の第２実施形態における動作につき説明する。
【００６２】
さて、使用者がメニュー操作を開始したことに応じて、主制御部９はそのメニュー操作を受け付けるための処理を行うのと並行して、図７に示すような操作セット記録処理を実行する。なおこの図７に示す処理が、優先順位決定部９ｂとしての機能によりなされる処理に相当する。
【００６３】
主制御部９はステップＳＴ２１において、項目選択の確定やパラメータ入力の確定などの操作イベントが発生するのを待ち受ける。そして操作イベントが発生したことを確認したならば、主制御部９はステップＳＴ２２において、その操作の内容がメニュー操作の終了を指示するものであるか否かを確認する。もし終了を指示するものではないことを確認したならば、主制御部９はステップＳＴ２３において、今回なされた操作の内容を操作セットに追加し、この上でステップＳＴ２１に処理を戻す。操作セットとは、一連のメニュー操作において選択された機能を示す情報である。また、その選択された機能によりパラメータ設定が行われたのであれば、その設定されたパラメータも操作セットに含まれる。
【００６４】
一方、メニュー操作の終了を指示する操作がなされたことをステップＳＴ２２にて確認したならば、主制御部９はステップＳＴ２４において、現在の時刻を取得する。そして主制御部９はステップＳＴ２５において、上記取得した時刻が属する時刻グループを操作セットを登録する時刻グループ（以下、登録対象時刻グループと称する）として決定する。
【００６５】
続いて主制御部９はステップＳＴ２６において、在圏基地局ＩＤを取得する。そして主制御部９はステップＳＴ２７およびステップＳＴ２８において、上記取得した在圏基地局ＩＤに対応する操作セット頻度リスト（以下、登録対象操作セット頻度リストと称する）が登録対象時刻グループに対応付けて既に作成されており、かつその登録対象操作セット頻度リストに今回記録した操作セットが含まれているか否かを確認する。もし、既に存在する登録対象操作セット頻度リストに今回記録した操作セットが含まれていることを確認したならば、主制御部９はステップＳＴ２９において、登録対象操作セット頻度リストにて今回記録した操作セットに対応付けられている使用頻度情報を更新し、これをもって操作セット記録処理を終了する。
【００６６】
これに対して、登録対象時刻グループに対応する操作セット頻度リストが存在しないことをステップＳＴ２７にて確認したならば、主制御部９はステップＳＴ３０において、登録対象時刻グループに対応付けて登録対象操作セット頻度リストを新規作成する。
【００６７】
上記のように登録対象操作セット頻度リストを新規作成した場合、あるいは既に存在する登録対象操作セット頻度リストに今回記録した操作セットが含まれていないことをステップＳＴ２８にて確認した場合、主制御部９はステップＳＴ３１において、登録対象操作セット頻度リストに登録対象操作セットを使用頻度情報と対応付けて登録し、これをもって操作セット記録処理を終了する。
【００６８】
ところで、使用者の操作により操作セット選択メニューの表示が要求されたことに応じて、主制御部９は図８に示すような操作セット選択メニュー表示処理を実行する。
【００６９】
主制御部９はステップＳＴ４１において、現在の時刻を取得する。そして主制御部９はステップＳＴ４２において、上記取得した時刻が属する時刻グループを今回操作セット頻度リストを参照する時刻グループ（以下、参照対象時刻グループと称する）そして決定する。
【００７０】
続いて主制御部９はステップＳＴ４３において、在圏基地局ＩＤを取得する。そして主制御部９はステップＳＴ４４において、参照対象時刻グループに在圏基地局ＩＤ用の操作セット頻度リスト（以下、参照対象操作セット頻度リストと称する）があるか否かを確認する。もし、該当する参照対象操作セット頻度リストがあることを確認したならば主制御部９はステップＳＴ４５において、その参照対象操作セット頻度リストに登録された操作セットについて、その使用頻度が高い操作セットほど優先順位が高くなるように優先順位を決定する。しかし、該当する参照対象操作セット頻度リストがないことをステップＳＴ４４にて確認したならば主制御部９はステップＳＴ４６において、参照対象時刻グループの他の基地局ＩＤ用の操作セット頻度リストに登録されている全ての操作セットについて使用頻度が高い操作セットほど優先順位が高くなるように優先順位を決定する。
【００７１】
ステップＳＴ４５またはステップＳＴ４６にて優先順位を決定したならば、続いて主制御部９はステップＳＴ４７において、上記の優先順位が高い操作セットほど少ない操作で選択できるように操作セットを並べた操作セット選択メニューを作成し、表示部７ａに表示させる。そして主制御部９は、これをもって操作セット選択メニュー表示処理を終了する。
【００７２】
以上のように操作セット選択メニュー表示処理により表示部７ａに表示させた操作セット選択メニューに基づいて操作セットが使用者により選択されたならば、主制御部９はその選択された操作セットに示されている機能が選択されたものとして判定する。そして主制御部９は、その選択された機能に関する処理を実行する。その選択された機能がパラメータの設定を伴う機能であるならば、上記選択された操作セットに設定するべきパラメータが含まれているから、そのパラメータの設定までを主制御部９が行う。
【００７３】
このように操作セットを実行した場合、主制御部９は図９に示すような使用頻度情報更新処理を実行する。
【００７４】
主制御部９はステップＳＴ５１において、現在の時刻を取得する。そして主制御部９はステップＳＴ５２において、上記取得した時刻が属する時刻グループを今回頻度情報を更新する時刻グループ（以下、更新対象時刻グループと称する）として決定する。
【００７５】
続いて主制御部９はステップＳＴ５３において、在圏基地局ＩＤを取得する。そして主制御部９はステップＳＴ５４において、更新対象時刻グループに在圏基地局ＩＤ用の操作セット頻度リスト（以下、更新対象操作セット頻度リストと称する）があり、その更新対象操作セット頻度リストに今回実行した操作セットが含まれているか否かを確認する。もし更新対象操作セット頻度リストに今回実行した操作セット（以下、更新対象操作セットと称する）が含まれているならば、主制御部９はステップＳＴ５６において、その操作セットに対応する頻度情報を更新し、これをもって使用頻度情報更新処理を終了する。
【００７６】
これに対して、更新対象操作セット頻度リストが存在しないことをステップＳＴ５４にて確認したならば、主制御部９はステップＳＴ５７において、更新対象時刻グループに更新対象操作セット頻度リストを新規作成する。
【００７７】
上記のように更新対象操作セット頻度リストを新規作成した場合、あるいは既に存在する更新対象操作セット頻度リストに更新対象操作セットが含まれていないことをステップＳＴ５５にて確認した場合、主制御部９はステップＳＴ５８において、更新対象操作セット頻度リストに更新対象操作セットを登録し、これをもって使用頻度情報更新処理を終了する。
【００７８】
以下に、この第２実施形態の移動通信端末にて表示される項目選択メニューの具体例を説明する。ここでは、使用者が、朝に職場に出社した際にメール着信音の音量を「２」に設定し、また夜に退社する際にメール着信音の音量を「４」に設定する操作を頻繁に行う場合を例示する。この場合、初期にはこれらの操作に関する操作セットは記録されていないが、例えば第１実施形態にて説明したような手順のメニュー操作により該当する機能が一旦実行されれば、そのことを示した操作セットが記録される。
【００７９】
そしてこの結果、出社時間帯であってかつ職場がある地域においては、図１０に示すように、表示部７ａに待ち受け画面３１を表示させている状態からファンクションキーが１回押下されると、主制御部９は表示部７ａに最上位メニュー３２を表示させる。この最上位メニュー３２には、１番目の項目として「操作セット選択」なる項目が含まれる。記録されている操作セットを実行させる場合に使用者は、「操作セット選択」の項目を最上位メニュー３２から選択することとなる。このために使用者は、テンキーのうちの「＊」のキーを押下するか、あるいは「操作セット選択」の項目にカーソルＣを合わせてファンクションキーを押下する。そうすると主制御部９は、表示部７ａに操作セット選択メニュー３３を表示させる。この操作セット選択メニュー３３には、記録されている操作セットをそれぞれ示す項目が示され、ここでは過去での使用頻度に従い１番目に「メール着信音量２」なる項目が含まれている。
【００８０】
メール着信音量を「２」に設定するためには、使用者が「メール着信音量２」の項目を操作セット選択メニュー３３から選択することとなる。このために使用者は、テンキーのうちの「０」のキーを押下するか、あるいは「メール着信音量２」の項目にカーソルＣを合わせてファンクションキーを押下する。そうすると主制御部９は、メール着信音量の設定機能によりメール着信音の音量を「２」に設定する。この上で主制御部９は、表示部７ａの表示を最上位メニュー３４に戻す。さらに、最上位メニュー３４を表示させている状態から終了キーが押下されたことに応じて、主制御部９は表示部７ａの表示を待ち受け画面３１に戻す。
【００８１】
一方、退社時間帯であってかつ職場がある地域においては、図１１に示すように、表示部７ａに待ち受け画面４１を表示させている状態からファンクションキーが１回押下されると、主制御部９は表示部７ａに最上位メニュー４２を表示させる。この最上位メニュー４２には、１番目の項目として「操作セット選択」なる項目が含まれる。記録されている操作セットを実行させる場合に使用者は、「操作セット選択」の項目を最上位メニュー４２から選択することとなる。そうすると主制御部９は、表示部７ａに操作セット選択メニュー４３を表示させる。この操作セット選択メニュー４３には、記録されている操作セットをそれぞれ示す項目が示され、ここでは過去での使用頻度に従い１番目に「メール着信音量４」なる項目が含まれている。
【００８２】
メール着信音量を「４」に設定するためには、使用者が「メール着信音量４」の項目を操作セット選択メニュー４３から選択することとなる。そうすると主制御部９は、メール着信音量の設定機能によりメール着信音の音量を「４」に設定する。この上で主制御部９は、表示部７ａの表示を最上位メニュー４４に戻す。さらに、最上位メニュー４４を表示させている状態から終了キーが押下されたことに応じて、主制御部９は表示部７ａの表示を待ち受け画面４１に戻す。
【００８３】
以上のようにこの第２実施形態によれば、使用者のメニュー操作により過去に選択された機能を操作セットとして学習され、この操作セットが操作セット選択メニューにより選択可能とされる。そして操作セットが使用者により選択された場合には、その選択された操作セットに対応する機能が実行される。従って、使用者は、過去に選択した機能を再度選択しようとする場合には、操作セット選択メニューから該当する操作セットを選択すれば良く、多数の階層に渡る複雑なメニュー操作を再度行う必要が無い。かつ操作セット選択メニューは、各操作セットが対応する機能の使用頻度に応じた優先順位で並べて構成されるので、使用者は使用頻度の高い機能に対応する操作セットほど少ない操作で選択することが可能である。
【００８４】
しかもこの第２実施形態では、時間帯および地域毎でそれぞれ個別に操作セットを管理し、その時間帯および地域毎での選択可能とする操作セットを変更するようにしているから、上述の具体例のような日常的な繰り返しの操作を非常に効率良く行うことを可能とするように適正に操作セットを使用者に対し提示することが可能である。
【００８５】
なお、使用者により優先順位の変更が要求された場合、主制御部９は使用者からの指示に応じて記憶部８に記憶されている頻度情報を変更する。例えば、使用者が特定の項目についての頻度情報のクリアを指示したならば、主制御部９は該当する頻度情報を過去に選択がなされていないことを示す内容に更新する。このようにすることで、後に決定される操作セットの優先順位が使用者の意志に応じて変更されることとなる。これにより、操作セット選択メニューが使用者にとって操作し辛いものとなってしまった場合に、使用者がその操作セット選択メニューの修正を図ることが可能となって、利便性が向上する。
【００８６】
なお、本発明は前記各実施形態に限定されるものではない。例えば、時間帯および地域のいずれか一方のみに応じて優先順位を決定することとしても良いし、あるいは時間帯および地域のいずれも考慮せずに優先順位を決定することも可能である。
【００８７】
また、時間帯および地域の双方または一方に応じてメニュー内のそれぞれの選択に要する操作数を変化させる手法は、例えば特開２０００−２６１５４４号公報に開示されているもの等のような他の形態でのメニュー変更を行う技術に適用しても有効である。
【００８８】
また、優先順位は、最も新しく選択された項目や操作セットを最も高くするなどのように、その決定の条件は任意であって良い。
【００８９】
また、前記第２実施形態において操作セット選択メニューを配置する階層は、機能を特定するメニューよりも上位の階層であれば任意であって良い。
【００９０】
このほか、本発明の要旨を逸脱しない範囲で種々の変形実施が可能である。
【００９１】
【発明の効果】
本発明によれば、メニューの各階層にそこに含まれる項目の過去の選択状況に基づいて、あるいはメニューの最下層の階層に含まれる項目の過去の選択状況に基づいて、それらの項目の優先順位を決定し、この優先順位が高い項目ほど少ない使用者操作に基づいて選択されるようにメニューを変更することとしたので、優先順位が高く設定されるような状況で過去に選択されている項目に関しては、使用者は少ない操作で選択することが可能となり、この結果、使用頻度の高い機能を指定する際の使用者の操作を簡略化することが可能となる。
【図面の簡単な説明】
【図１】本発明の実施形態に係る移動通信端末のブロック図。
【図２】表示部７ａにて表示されるメニュー画面の一例を示す図。
【図３】使用頻度情報記憶処理のフローチャート。
【図４】項目選択メニュー表示処理のフローチャート。
【図５】第１実施形態での項目選択メニューの表示の具体例を示す図。
【図６】第１実施形態での項目選択メニューの表示の具体例を示す図。
【図７】操作セット記録処理のフローチャート。
【図８】操作セット選択メニュー表示処理のフローチャート。
【図９】使用頻度情報更新処理のフローチャート。
【図１０】第２実施形態での項目選択メニューの表示の具体例を示す図。
【図１１】第２実施形態での項目選択メニューの表示の具体例を示す図。
【符号の説明】
１…アンテナ
２…無線部
３…ＣＤＭＡ処理部
４…圧縮伸長部
５…ＰＣＭ処理部
６…通話部
７…ユーザインタフェース部
８…記憶部
９…主制御部
９ａ…機能判定部
９ｂ…優先順位決定部
９ｃ…メニュー変更部
９ｄ…優先順位変更部
【図１】
2004102609.tif 000003
【図２】
2004102609.tif 000004
【図３】
2004102609.tif 000005
【図４】
2004102609.tif 000006
【図５】
2004102609.tif 000007
【図６】
2004102609.tif 000008
【図７】
2004102609.tif 000009
【図８】
2004102609.tif 000010
【図９】
2004102609.tif 000011
【図１０】
2004102609.tif 000012
【図１１】
2004102609.tif 000013